(57)【要約】本発明は、バックライト制御方法、装置、プログラム及び記録媒体に関し、スクリーン表示技術分野に属する。前記方法は、少なくとも１つの表示領域を含むスクリーンにおける表示領域のそれぞれについて、当該表示領域に表示すべき画像における各画素のグレースケール値を取得するステップと、各画素のグレースケール値に基づいて、所定数の最大グレースケール値のうち最小値を取得するステップと、当該最小値がグレースケール値の閾値に達したとき、各画素のグレースケール値をそのまま保持し、当該表示領域のバックライト輝度を最大バックライト輝度に保持するように制御するステップと、を含む。本発明によれば、画像に高いグレースケール値の画素があるとき、ＣＡＢＣ技術を用いて当該画像を処理すれば、画像のコントラストが大幅に低減され、画像表示効果が大きく影響されてしまうという課題を解決し、画像に高いグレースケール値の画素があるとき、画像に対してＣＡＢＣ処理を行わないことが実現され、画像コントラストロスが回避または低減されて、画質及び表示効果が向上する。【選択図】図２
2017510856.tif 000002
【特許請求の範囲】
【請求項１】
少なくとも１つの表示領域を含むスクリーンにおける表示領域のそれぞれについて、前記表示領域に表示すべき画像における各画素のグレースケール値を取得するステップと、
前記各画素のグレースケール値に基づいて、所定数の最大グレースケール値のうち最小値を取得するステップと、
前記最小値がグレースケール値の閾値に達したとき、前記各画素のグレースケール値をそのまま保持し、前記表示領域のバックライト輝度を最大バックライト輝度に保持するように制御するステップと、を含むことを特徴とするバックライト制御方法。
【請求項２】
前記最小値が前記グレースケール値の閾値に達していないとき、前記最小値が所在するグレースケール値サブ区間を取得するステップと、
予め設定された対応関係に応じて、前記グレースケール値サブ区間に対応するデューティ比を取得するステップと、
前記デューティ比に基づいて前記表示領域のバックライト輝度を制御する旨をバックライトドライバＩＣに指示するための信号であって、前記デューティ比を有するパルス幅変調ＰＷＭ信号を前記バックライトドライバＩＣへ送信するステップと、をさらに含み、
前記予め設定された対応関係は、異なるグレースケール値サブ区間と異なるデューティ比との対応関係を含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比は、１００％である（ただし、Ｐ０が前記グレースケール値の閾値であり、Ｐｍａｘが前記スクリーンに表示可能な最大グレースケール値であり、０＜Ｐ０≦Ｐｍａｘ）ことを特徴とする請求項１に記載の方法。
【請求項３】
前記スクリーンに対応するグレースケール値区間[０、Ｐｍａｘ]を取得するステップと、
前記グレースケール値区間[０、Ｐｍａｘ]をＭ（Ｍ≧２且つＭが整数）個のグレースケール値サブ区間に分割するステップと、
グレースケール値サブ区間のそれぞれについて対応するデューティ比をそれぞれ設け、前記グレースケール値サブ区間と前記デューティ比との対応関係を保存するステップと、をさらに含むことを特徴とする請求項２に記載の方法。
【請求項４】
前記グレースケール値区間[０、Ｐｍａｘ]をＭ個のグレースケール値サブ区間に分割するステップは、
等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするサブステップ、または、
非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくする（ただし、Ｐ(ｉ+１)ｍｉｎ=Ｐ(ｉ)ｍａｘ+１、１≦ｉ≦Ｍ-１、且つ、ｉが整数）サブステップを含むことを特徴とする請求項３に記載の方法。
【請求項５】
前記画像に対してコントラストがロスレスであるコンテンツ適応バックライト制御ＣＡＢＣ処理を行う際に、前記所定数を１とすることを特徴とする請求項１〜４の何れかに記載の方法。
【請求項６】
少なくとも１つの表示領域を含むスクリーンにおける表示領域のそれぞれについて、前記表示領域に表示すべき画像における各画素のグレースケール値を取得するように構成される第１の取得モジュールと、
前記各画素のグレースケール値に基づいて、所定数の最大グレースケール値のうち最小値を取得するように構成される第２の取得モジュールと、
前記最小値がグレースケール値の閾値に達したとき、前記各画素のグレースケール値をそのまま保持し、前記表示領域のバックライト輝度を最大バックライト輝度に保持するように制御するように構成される制御モジュールと、を備えることを特徴とするバックライト制御装置。
【請求項７】
前記最小値が前記グレースケール値の閾値に達していないとき、前記最小値が所在するグレースケール値サブ区間を取得するように構成される第３の取得モジュールと、
予め設定された対応関係に応じて、前記グレースケール値サブ区間に対応するデューティ比を取得するように構成される第４の取得モジュールと、
前記デューティ比に基づいて前記表示領域のバックライト輝度を制御する旨をバックライトドライバＩＣに指示するための信号であって、前記デューティ比を有するパルス幅変調ＰＷＭ信号を前記バックライトドライバＩＣへ送信するように構成される送信モジュールと、をさらに備え、
前記予め設定された対応関係は、異なるグレースケール値サブ区間と異なるデューティ比との対応関係を含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比は、１００％である（ただし、Ｐ０が前記グレースケール値の閾値であり、Ｐｍａｘが前記スクリーンに表示可能な最大グレースケール値であり、０＜Ｐ０≦Ｐｍａｘ）ことを特徴とする請求項６に記載の装置。
【請求項８】
前記スクリーンに対応するグレースケール値区間[０、Ｐｍａｘ]を取得するように構成される第５の取得モジュールと、
前記グレースケール値区間[０、Ｐｍａｘ]をＭ（Ｍ≧２且つＭが整数）個のグレースケール値サブ区間に分割するように構成される分割モジュールと、
グレースケール値サブ区間のそれぞれについて対応するデューティ比をそれぞれ設け、前記グレースケール値サブ区間と前記デューティ比との対応関係を保存するように構成される第１の設定モジュールと、をさらに備えることを特徴とする請求項７に記載の装置。
【請求項９】
前記分割モジュールは、
等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするように構成される第１の分割サブモジュール、または、
非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくする（ただし、Ｐ(ｉ+１)ｍｉｎ=Ｐ(ｉ)ｍａｘ+１、１≦ｉ≦Ｍ-１、且つ、ｉが整数）ように構成される第２の分割サブモジュールを備えることを特徴とする請求項８に記載の装置。
【請求項１０】
前記画像に対してコントラストがロスレスであるコンテンツ適応バックライト制御ＣＡＢＣ処理を行う際に、前記所定数を１とするように構成される第２の設定モジュールをさらに備えることを特徴とする請求項６〜９の何れかに記載の装置。
【請求項１１】
プロセッサと、
前記プロセッサが実行可能な命令を記憶するためのメモリとを備え、
前記プロセッサは、
少なくとも１つの表示領域を含むスクリーンにおける表示領域のそれぞれについて、前記表示領域に表示すべき画像における各画素のグレースケール値を取得し、
前記各画素のグレースケール値に基づいて、所定数の最大グレースケール値のうち最小値を取得し、
前記最小値がグレースケール値の閾値に達したとき、前記各画素のグレースケール値をそのまま保持し、前記表示領域のバックライト輝度を最大バックライト輝度に保持するように制御するように構成されることを特徴とするバックライト制御装置。
【発明の詳細な説明】
【技術分野】
【０００１】
本発明は、スクリーン表示技術分野に関し、特に、バックライト制御方法及び装置に関する。
【背景技術】
【０００２】
コンテンツ適応バックライト制御（Ｃｏｎｔｅｎｔ  Ａｄａｐｔｉｖｅ  Ｂｒｉｇｈｔｎｅｓｓ  Ｃｏｎｔｒｏｌ、ＣＡＢＣと略称する）技術とは、液晶表示（Ｌｉｑｕｉｄ  Ｃｒｙｓｔａｌ  Ｄｉｓｐｌａｙ、ＬＣＤと略称する）スクリーンを有する端末に用いられるバックライト省電力技術を指す。
【０００３】
ＣＡＢＣ技術は、スクリーンに表示される画像に応じて、当該画像のグレースケール値とスクリーンバックライト輝度との関係を調整することができ、スクリーンバックライト輝度を有効に低減するとともに、画像の表示効果を基本的に保持することができる。例えば、画像のグレースケール値を３０％増加して画像を明るくするとともに、ＬＣＤスクリーンのバックライト輝度を３０％低減して画像を暗くすることで、画像の輝度が処理前後で基本的に一致を保持できるが、３０％のバックライト消費電力が低減された。
【０００４】
しかしながら、画像に高いグレースケール値の画素（例えば、白色画素）があるとき、ＣＡＢＣ技術を用いて当該画像を処理すれば、この部分の高いグレースケール値の画素のグレースケール値を高くすることができないが、他の低いグレースケール値の画素（例えば、黒色画素）のグレースケール値を高くすることができるため、画像のコントラストが大幅に低減され、画像表示効果が大きく影響されてしまう。
【発明の概要】
【発明が解決しようとする課題】
【０００５】
画像に高いグレースケール値の画素があるとき、ＣＡＢＣ技術を用いて当該画像を処理すれば、画像のコントラストが大幅に低減され、画像表示効果が大きく影響されてしまうという課題を解決するために、本発明の実施例は、バックライト制御方法及び装置を提供する。前記技術案は下記の通りである。
【課題を解決するための手段】
【０００６】
本発明の実施例の第１の局面によれば、バックライト制御方法を提供する。前記方法は、少なくとも１つの表示領域を含むスクリーンにおける表示領域のそれぞれについて、前記表示領域に表示すべき画像における各画素のグレースケール値を取得するステップと、前記各画素のグレースケール値に基づいて、所定数の最大グレースケール値のうち最小値を取得するステップと、前記最小値がグレースケール値の閾値に達したとき、前記各画素のグレースケール値をそのまま保持し、前記表示領域のバックライト輝度を最大バックライト輝度に保持するように制御するステップと、を含む。
【０００７】
好ましくは、前記方法は、前記最小値が前記グレースケール値の閾値に達していないとき、前記最小値が所在するグレースケール値サブ区間を取得するステップと、予め設定された対応関係に応じて、前記グレースケール値サブ区間に対応するデューティ比を取得するステップと、前記デューティ比に基づいて前記表示領域のバックライト輝度を制御する旨をバックライトドライバＩＣに指示するための信号であって、前記デューティ比を有するパルス幅変調（Ｐｕｌｓｅ  Ｗｉｄｔｈ  Ｍｏｄｕｌａｔｉｏｎ、ＰＷＭと略称する）信号を前記バックライトドライバＩＣへ送信するステップと、をさらに含み、前記予め設定された対応関係は、異なるグレースケール値サブ区間と異なるデューティ比との対応関係を含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比は、１００％である（ただし、Ｐ０が前記グレースケール値の閾値であり、Ｐｍａｘが前記スクリーンに表示可能な最大グレースケール値であり、０＜Ｐ０≦Ｐｍａｘ）。
【０００８】
好ましくは、前記方法は、前記スクリーンに対応するグレースケール値区間[０、Ｐｍａｘ]を取得するステップと、前記グレースケール値区間[０、Ｐｍａｘ]をＭ （Ｍ≧２且つＭが整数）個のグレースケール値サブ区間に分割するステップと、グレースケール値サブ区間のそれぞれについて対応するデューティ比をそれぞれ設け、前記グレースケール値サブ区間と前記デューティ比との対応関係を保存するステップと、をさらに含む。
【０００９】
好ましくは、前記グレースケール値区間[０、Ｐｍａｘ]をＭ個のグレースケール値サブ区間に分割するステップは、等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするサブステップ、または、非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくする（ただし、Ｐ(ｉ+１)ｍｉｎ=Ｐ(ｉ)ｍａｘ+１、１≦ｉ≦Ｍ-１、且つ、ｉが整数）サブステップを含む。
【００１０】
好ましくは、前記方法は、前記画像に対してコントラストがロスレスであるコンテンツ適応バックライト制御ＣＡＢＣ処理を行う際に、前記所定数を１とするステップをさらに含む。
【００１１】
本発明の実施例の第２の局面によれば、バックライト制御装置を提供する。前記装置は、少なくとも１つの表示領域を含むスクリーンにおける表示領域のそれぞれについて、前記表示領域に表示すべき画像における各画素のグレースケール値を取得するように構成される第１の取得モジュールと、前記各画素のグレースケール値に基づいて、所定数の最大グレースケール値のうち最小値を取得するように構成される第２の取得モジュールと、前記最小値がグレースケール値の閾値に達したとき、前記各画素のグレースケール値をそのまま保持し、前記表示領域のバックライト輝度を最大バックライト輝度に保持するように制御するように構成される制御モジュールと、を備える。
【００１２】
好ましくは、前記装置は、前記最小値が前記グレースケール値の閾値に達していないとき、前記最小値が所在するグレースケール値サブ区間を取得するように構成される第３の取得モジュールと、予め設定された対応関係に応じて、前記グレースケール値サブ区間に対応するデューティ比を取得するように構成される第４の取得モジュールと、前記デューティ比に基づいて前記表示領域のバックライト輝度を制御する旨をバックライトドライバＩＣに指示するための信号であって、前記デューティ比を有するＰＷＭ信号を前記バックライトドライバＩＣへ送信するように構成される送信モジュールと、をさらに備え、前記予め設定された対応関係は、異なるグレースケール値サブ区間と異なるデューティ比との対応関係を含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比は、１００％である（ただし、Ｐ０が前記グレースケール値の閾値であり、Ｐｍａｘが前記スクリーンに表示可能な最大グレースケール値であり、０＜Ｐ０≦Ｐｍａｘ）。
【００１３】
好ましくは、前記装置は、前記スクリーンに対応するグレースケール値区間[０、Ｐｍａｘ]を取得するように構成される第５の取得モジュールと、前記グレースケール値区間[０、Ｐｍａｘ]をＭ （Ｍ≧２且つＭが整数）個のグレースケール値サブ区間に分割するように構成される分割モジュールと、グレースケール値サブ区間のそれぞれについて対応するデューティ比をそれぞれ設け、前記グレースケール値サブ区間と前記デューティ比との対応関係を保存するように構成される第１の設定モジュールと、をさらに備える。
【００１４】
好ましくは、前記分割モジュールは、等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするように構成される第１の分割サブモジュール、または、非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくする（ただし、Ｐ(ｉ+１)ｍｉｎ=Ｐ(ｉ)ｍａｘ+１、１≦ｉ≦Ｍ-１、且つ、ｉが整数）ように構成される第２の分割サブモジュールを備える。
【００１５】
好ましくは、前記装置は、前記画像に対してコントラストがロスレスであるコンテンツ適応バックライト制御ＣＡＢＣ処理を行う際に、前記所定数を１とするように構成される第２の設定モジュールをさらに備える。
【００１６】
本発明の実施例の第３の局面によれば、バックライト制御装置を提供する。前記バックライト制御装置は、プロセッサと、前記プロセッサが実行可能な指令を記憶するためのメモリとを備え、前記プロセッサは、少なくとも１つの表示領域を含むスクリーンにおける表示領域のそれぞれについて、前記表示領域に表示すべき画像における各画素のグレースケール値を取得し、前記各画素のグレースケール値に基づいて、所定数の最大グレースケール値のうち最小値を取得し、前記最小値がグレースケール値の閾値に達したとき、前記各画素のグレースケール値をそのまま保持し、前記表示領域のバックライト輝度を最大バックライト輝度に保持するように制御するように構成される。
【発明の効果】
【００１７】
本開示の実施例で提供される技術案は、下記の格別な効果を含むことができる。表示領域に表示すべき画像における各画素のグレースケール値を取得し、それから、各画素のグレースケール値に基づいて、所定数の最大グレースケール値のうち最小値を取得し、かつ、当該最小値がグレースケール値の閾値に達した場合、各画素のグレースケール値をそのまま保持し、当該表示領域のバックライト輝度を最大バックライト輝度に保持するように制御する、すなわち、当該表示領域における画像に対してＣＡＢＣ処理を行わないことにより、画像に高いグレースケール値の画素があるとき、ＣＡＢＣ技術を用いて当該画像を処理すれば、画像のコントラストが大幅に低減され、画像表示効果が大きく影響されてしまうという課題を解決し、画像に高いグレースケール値の画素があるとき、画像に対してＣＡＢＣ処理を行わないことが実現され、画像コントラストロスが回避または低減されて、画質及び表示効果が向上する。
【００１８】
なお、上記一般的な記載及び後述の詳細な記載は、単なる例示的で解釈的な記載であり、本発明を限定しない。
【図面の簡単な説明】
【００１９】
ここの図面は、明細書に組み入れて本明細書の一部分を構成し、本発明に該当する実施例を例示するとともに、明細書とともに本発明の原理を解釈する。
【００２０】
【図１】ＣＡＢＣ技術を用いてバックライト省電力制御を図る端末を示す構造模式図である。
【図２】一例示的な実施例に係るバックライト制御方法を示すフローチャートである。
【図３Ａ】別の例示的な実施例に係るバックライト制御方法を示すフローチャートである。
【図３Ｂ】別の例示的な実施例に係るヒストグラムを示す模式図である。
【図３Ｃ】別の例示的な実施例に係るグレースケール値分布を示す模式図である。
【図３Ｄ】別の例示的な実施例に係る別のグレースケール値分布を示す模式図である。
【図４】一例示的な実施例に係るバックライト制御装置を示すブロック図である。
【図５】別の例示的な実施例に係るバックライト制御装置を示すブロック図である。
【図６】一例示的な実施例に係る装置を示すブロック図である。
【００２１】
本発明の明確な実施例を前記図面に示し、以下、更に詳しく説明する。これら図面及び文字記載は、本発明思想の範囲を限定するものではなく、特定の実施例を参照して本発明の概念を説明するためのものである。
【発明を実施するための形態】
【００２２】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２３】
先ず、本発明の各実施例では、係る端末は、ＬＣＤスクリーンを備え、当該ＬＣＤスクリーンは、冷陰極蛍光ランプ（Ｃｏｌｄ  Ｃａｔｈｏｄｅ  Ｆｌｕｏｒｅｓｃｅｎｔ  Ｌａｍｐ、ＣＣＦＣと略称する）スクリーンまたは発光ダイオード（Ｌｉｇｈｔ  Ｅｍｉｔｔｉｎｇ  Ｄｉｏｄｅ、ＬＥＤと略称する）スクリーンであっても良い。端末は、携帯電話、タブレットコンピュータ、電子ブックリーダ、ムービングピクチャエスパーツグループオーディオレイヤー３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、ＭＰ３と略称する）ムービングピクチャエスパーツグループオーディオレイヤー４（Ｍｏｖｉｎｇ  Ｐｉｃｔｕｒｅ  Ｅｘｐｅｒｔｓ  Ｇｒｏｕｐ  Ａｕｄｉｏ  ＬａｙｅｒＩＶ、ＭＰ４と略称する）プレーヤ、ラップトップ型携帯可能なコンピュータ及びデスクトップコンピューターなどであっても良い。
【００２４】
図１は、ＣＡＢＣ技術を用いてバックライト省電力制御を図る端末を示す構造模式図である。当該端末は、ＬＣＤスクリーンを備える前記列挙された端末の何れかであっても良い。当該端末１０は、ＬＣＤスクリーン１１０と、スクリーン駆動集積回路（Ｉｎｔｅｇｒａｔｅｄ  Ｃｉｒｃｕｉｔ、ＩＣと略称する）１２０と、バックライトドライバＩＣ１３０と、バックライトソース１４０と、中央プロセッサ（Ｃｅｎｔｒａｌ  Ｐｒｏｃｅｓｓｉｎｇ  Ｕｎｉｔ、ＣＰＵと略称する）１５０と、を有する。
【００２５】
図１に示すように、ＣＰＵ１５０とスクリーンドライバＩＣ１２０との間が電気的に接続されており、ＣＰＵ１５０は、表示すべき画像をスクリーンドライバＩＣ１２０へ伝送するためのものである。スクリーンドライバＩＣ１２０とＬＣＤスクリーン１１０との間が電気的に接続されており、スクリーンドライバＩＣ１２０は、ＬＣＤスクリーン１１０が画像を表示するように制御するためのものである。バックライトドライバＩＣ１３０とＣＰＵ１５０及び／又はスクリーンドライバＩＣ１２０との間が電気的に接続されており、バックライトドライバＩＣ１３０は、ＣＰＵ１５０及び／又はスクリーンドライバＩＣ１２０から送信されるＰＷＭ信号を受信し、当該ＰＷＭ信号に基づいてバックライトソース１４０のバックライト輝度を制御するためのものである。
【００２６】
本発明の実施例で提供されるバックライト制御方法は、上記図１に示すＣＰＵ１５０によって単独で実行されても良く、スクリーンドライバＩＣ１２０によって単独で実行されても良く、または、ＣＰＵ１５０とスクリーンドライバＩＣ１２０によって協力して実行されても良い。対応的に、本発明の実施例で提供されるバックライト制御装置は、全てＣＰＵ１５０に集積されても良く、全てスクリーンドライバＩＣ１２０に集積されても良く、または、異なる機能モジュールがＣＰＵ１５０とスクリーンドライバＩＣ１２０に別個に設けられてもよい。以下、いくつかの実施例を参照して本発明の実施例で提供される技術案を紹介及び説明する。
【００２７】
図２は、一例示的な実施例に係るバックライト制御方法を示すフローチャートである。本実施例は、当該バックライト制御方法を図１に示す端末に用いることを例として説明する。当該バックライト制御方法は、下記のいくつかのステップを含んでも良い。
【００２８】
ステップ２０２では、少なくとも１つの表示領域を含むスクリーンにおける表示領域のそれぞれについて、当該表示領域に表示すべき画像における各画素のグレースケール値を取得する。
【００２９】
ステップ２０４では、各画素のグレースケール値に基づいて、所定数の最大グレースケール値のうち最小値を取得する。
【００３０】
ステップ２０６では、当該最小値がグレースケール値の閾値に達したとき、各画素のグレースケール値をそのまま保持し、当該表示領域のバックライト輝度を最大バックライト輝度に保持するように制御する。
【００３１】
以上により、本実施例で提供されるバックライト制御方法は、表示領域に表示すべき画像における各画素のグレースケール値を取得し、それから、各画素のグレースケール値に基づいて、所定数の最大グレースケール値のうち最小値を取得し、かつ、当該最小値がグレースケール値の閾値に達した場合、各画素のグレースケール値をそのまま保持し、当該表示領域のバックライト輝度を最大バックライト輝度に保持するように制御する、すなわち、当該表示領域における画像に対してＣＡＢＣ処理を行わないことにより、画像に高いグレースケール値の画素があるとき、ＣＡＢＣ技術を用いて当該画像を処理すれば、画像のコントラストが大幅に低減され、画像表示効果が大きく影響されてしまうという課題を解決し、画像に高いグレースケール値の画素があるとき、画像に対してＣＡＢＣ処理を行わないことが実現され、画像コントラストロスが回避または低減されて、画質及び表示効果が向上する。
【００３２】
図３Ａは、別の例示的な実施例に係るバックライト制御方法を示すフローチャートである。本実施例は、当該バックライト制御方法を図１に示す端末に用いることを例として説明する。当該バックライト制御方法は、下記のいくつかのステップを含んでも良い。
【００３３】
ステップ３０１では、少なくとも１つの表示領域を含むスクリーンにおける表示領域のそれぞれについて、当該表示領域に表示すべき画像における各画素のグレースケール値を取得する。
【００３４】
端末のスクリーンには、１つの表示領域を設けても良く、複数の表示領域を設けてもよい。表示領域のそれぞれは、１グループのバックライトソースに対応し、各グループのバックライトソースは、それに対応する表示領域のバックライト輝度を単独で制御するためのものである。
【００３５】
端末のスクリーンに１つの表示領域を設けた場合、当該１つの表示領域は一般的には、１枚の完全な画像を表示するのに用いられる。当然、本実施例は、他の可能な実施形態を限定しない。例えば、当該１つの表示領域は、１枚の完全な画像の一部を表示するのに用いられても良く、または、複数枚の完全な画像などを表示するのに用いられても良い。
【００３６】
端末のスクリーンに複数の表示領域を設けた場合、当該複数の表示領域は一般的には、１枚の完全な画像を表示するのに用いられ、かつ、表示領域のそれぞれは、１枚の完全な画像の一部を表示するのに用いられる。当然、本実施例は、他の可能な実施形態を限定しない。例えば、当該複数の表示領域は、複数枚の完全な画像を表示するのに用いられても良く、表示領域のそれぞれ又は複数の表示領域は、１枚の完全な画像などを表示するのに用いられても良い。端末のスクリーンに複数の表示領域を設けた場合、表示領域のそれぞれに対して、それぞれ、本実施例で提供されるバックライト制御方法を用いて当該表示領域のバックライト輝度を制御する。
【００３７】
スクリーンにおける表示領域のそれぞれについて、端末は、当該表示領域に表示すべき画像における各画素のグレースケール値を取得する。ある可能な実施形態では、端末は、画像における各画素のグレースケール値に対してヒストグラム統計を行い、グレースケール値毎に対応する画素数を統計しても良い。図３Ｂに示すように、ヒストグラム３０には、横軸３１がグレースケール値を表し、縦軸３２が画素数を表す。
【００３８】
また、スクリーンにおける表示領域に表示すべき画像は、ピクチャであっても良く、ビデオであっても良く、本実施例はそれを限定しない。
【００３９】
ステップ３０２では、各画素のグレースケール値に基づいて、所定数の最大グレースケール値のうち最小値を取得する。
【００４０】
ここで、所定数は、予め設定された経験値である。画像に対してコントラストロスレスのＣＡＢＣ処理を行うとき、所定数を１とする。画像に対して画素のコントラストロスが少しだけ許されるＣＡＢＣ処理を行うとき、所定数を５、１０、１５といった、１より大きくする。ただし、画像コントラスト及び画質を確保するために、所定数は大きく過ぎてはならない。所定数が大きいほど、画像に対してＣＡＢＣ処理を行うとき、許容されるコントラストロスが大きくなり、画像表示品質及び表示効果に不利となる。
【００４１】
所定数を１としたとき、本ステップでは、画像における各画素のグレースケール値の最大値を取得する。例えば、画像における各画素のグレースケール値が大きいものから小さいものという順番で２５５、２５５、２５５、２５４、２５４、２５２、２５２……であることを例とすると、所定数を１としたとき、本ステップで取得されるグレースケール値が２５５であることになる。
【００４２】
所定数を１より大きくしたとき、所定数を５とし、かつ、画像における各画素のグレースケール値が大きいものから小さいものという順番で２５５、２５５、２５５、２５４、２５４、２５２、２５２……であることを例とすると、本ステップで取得されるグレースケール値が２５４であることになる。
【００４３】
ステップ３０３では、当該最小値がグレースケール値の閾値に達したとき、各画素のグレースケール値をそのまま保持し、当該表示領域のバックライト輝度を最大バックライト輝度に保持するように制御する。
【００４４】
すなわち、当該最小値がグレースケール値の閾値に達したことは、画像に高いグレースケール値の画素（例えば、白色画素）があることを表明し、このとき、端末は、画像コントラストを確保するように、画像に対してＣＡＢＣ処理を行わない。ここで、グレースケール値の閾値は、予め設定された経験値である。グレースケール値の閾値の大きさは、スクリーンに関連する。１つの例として、スクリーンが８ｂｉｔパネルであるとき、スクリーンに表示可能なグレースケール値区間が０乃至２５５であり、それでは、グレースケール値の閾値は、最大グレースケール値２５５と接近する２５０といった数とされても良い。もう１つの例として、スクリーンが１０ｂｉｔパネルであるとき、スクリーンに表示可能なグレースケール値区間が０乃至１０２３であり、それでは、グレースケール値の閾値は、最大グレースケール値１０２３と接近する１０００といった数とされても良い。
【００４５】
好ましくは、当該最小値がグレースケール値の閾値に達したとき、表示領域のバックライト輝度を最大バックライト輝度に保持するように制御する旨をバックライトドライバＩＣに指示するための信号であって、デューティ比が１００％のＰＷＭ信号をバックライトドライバＩＣへ送信する。
【００４６】
また、当該最小値がグレースケール値の閾値に達していないとき、端末は画像に対してＣＡＢＣ処理を行うことで、バックライト消費電力を節約する。ある可能な実施形態では、端末は、以下のステップ３０４乃至ステップ３０６を実行しても良い。
【００４７】
ステップ３０４では、当該最小値がグレースケール値の閾値に達していないとき、当該最小値が所在するグレースケール値サブ区間を取得する。
【００４８】
端末は、スクリーンに対応するグレースケール値区間[０、Ｐｍａｘ]をＭ個のグレースケール値サブ区間に予め分割しても良く、当該Ｍ個のグレースケール値サブ区間のうちグレースケール値が最大のグレースケール値サブ区間は、[Ｐ０、Ｐｍａｘ]である（ただし、Ｐ０がグレースケール値の閾値、Ｐｍａｘがスクリーンに表示可能な最大グレースケール値、０＜Ｐ０≦Ｐｍａｘ、Ｍ≧２且つＭが整数）。
【００４９】
ある可能な実施形態では、当該分割過程は、以下のいくつかのステップを含んでも良い。
【００５０】
１、スクリーンに対応するグレースケール値区間[０、Ｐｍａｘ]を取得する。
【００５１】
スクリーンに対応するグレースケール値区間[０、Ｐｍａｘ]とは、スクリーンに表示可能な最小グレースケール値とスクリーンに表示可能な最大グレースケール値とが成された区間のことである。１つの例として、スクリーンが８ｂｉｔパネルであるとき、当該スクリーンに対応するグレースケール値区間が[０、２５５]である。もう１つの例として、スクリーンが１０ｂｉｔパネルであるとき、当該スクリーンに対応するグレースケール値区間が[０、１０２３]である。
【００５２】
２、グレースケール値区間[０、Ｐｍａｘ]をＭ個のグレースケール値サブ区間に分割する（ただし、Ｍ≧２且つＭが整数）。
ここで、分割方式が等分方式であっても良く、非等分方式であっても良い。
【００５３】
第１種の可能な実施形態では、等分方式でグレースケール値区間[０、Ｐｍａｘ]をＭ個のグレースケール値サブ区間に分割し、グレースケール値サブ区間のそれぞれに対応する最大グレースケール値と最小グレースケール値の間の差を等しくする。例えば、グレースケール値区間[０、２５５]を等分で３２個のグレースケール値サブ区間に分割し、当該３２個のグレースケール値サブ区間が順に[０、７]、[８、１５]、…、[８ｉ、８ｉ+７]、…、[２４０、２４７]、[２４８、２５５]である。
【００５４】
第２種の可能な実施形態では、非等分方式でグレースケール値区間[０、Ｐｍａｘ]をＭ個のグレースケール値サブ区間に分割する。ここで、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎ、Ｐ(ｉ+１)ｍｉｎ=Ｐ(ｉ)ｍａｘ+１よりも大きく又はそれと等しくする（１≦ｉ≦Ｍ-１、且つ、ｉが整数）。言い換えれば、非等分方式を用いたとき、低次部分のグレースケール値サブ区間の分布が適当に密集し、中高次部分のグレースケール値サブ区間の分布が適当にちらちらであり、その理由としては、低次部分がグレースケール調整に対してより敏感である。例えば、グレースケール値区間[０、２５５]を３０個のグレースケール値サブ区間に分割すると、当該３０個のグレースケール値サブ区間が順に[０、５]、[６、１１]、…、[１３０、１３８]、…、[２４５、２５５]である。
【００５５】
３、グレースケール値サブ区間のそれぞれについて対応するデューティ比をそれぞれ設け、グレースケール値サブ区間とデューティ比との対応関係を保存する。
【００５６】
バックライト輝度を制御するようバックライトドライバＩＣを指導するために、グレースケール値サブ区間のそれぞれについて対応するデューティ比をそれぞれ予め設ける。ここで、デューティ比の大きさとグレースケール値の大きさとは、正の相関関係にあり、かつ、デューティ比の大きさとバックライト輝度とは、正の相関関係にある。また、グレースケール値が最大のグレースケール値サブ区間[Ｐ０、Ｐｍａｘ]に対応するデューティ比は、１００％である。例えば、グレースケール値区間[０、２５５]を３０個のグレースケール値サブ区間に分割し、当該３０個のグレースケール値サブ区間のグレースケール値が順に増加し、第１個のグレースケール値サブ区間に対応するデューティ比が４０％であり、第３０個のグレースケール値サブ区間に対応するデューティ比が１００％であり、かつ、各グレースケール値サブ区間に対応するデューティ比が番号の増加に応じて順に増加する。
【００５７】
端末は各画素のグレースケール値に基づいて、所定数の最大グレースケール値のうち最小値を取得した後、当該最小値が所在するグレースケール値サブ区間を取得する。当該最小値が所在するグレースケール値サブ区間が、前記グレースケール値が最大のグレースケール値サブ区間[Ｐ０、Ｐｍａｘ]であることは、当該最小値がグレースケール値の閾値に達したことを表明する。当該最小値が所在するグレースケール値サブ区間が、[Ｐ０、Ｐｍａｘ]ではないことは、当該最小値がグレースケール値の閾値に達していないことを表明する。
【００５８】
図３Ｃは、あるグレースケール値分布の模式図３３を示している。ここで、横軸３４はグレースケール値サブ区間の番号を表し、番号の増加に応じてグレースケール値が順に増加するが、縦軸３５は画素数を表す。グレースケール値区間[０、２５５]を３０個のグレースケール値サブ区間に分割することを例とすると、前記最小値が２５５であるとき、それが所在するグレースケール値サブ区間は、第３０個のグレースケール値サブ区間である（例えば、当該第３０個のグレースケール値サブ区間は、[２４５、２５５]である）と特定され得る。図３Ｄは、別のグレースケール値分布の模式図３６を示している。前記最小値が１８７であるとき、それが所在するグレースケール値サブ区間は、第２２個のグレースケール値サブ区間である（例えば、当該第２２個のグレースケール値サブ区間は、[１８２、１９０]である）と特定され得る。
【００５９】
ステップ３０５では、予め設定された対応関係に基づいて、グレースケール値サブ区間に対応するデューティ比を取得する。
【００６０】
ここで、予め設定された対応関係は、異なるグレースケール値サブ区間と異なるデューティ比との対応関係を含み、当該予め設定された対応関係とは、前記ステップ３によって予め設けられ且つ保存された対応関係のことである。１つの例として、前記第３０個のグレースケール値サブ区間[２４５、２５５]に対応するデューティ比が、１００％である。もう１つの例として、第２２個のグレースケール値サブ区間[１８２、１９０]に対応するデューティ比が、８０％である。
【００６１】
ステップ３０６では、上記デューティ比に基づいて前記表示領域のバックライト輝度を制御する旨をバックライトドライバＩＣに指示するためのパルス幅変調信号であって、当該デューティ比を有するＰＷＭ信号をバックライトドライバＩＣへ送信する。
【００６２】
デューティ比の大きさとバックライト輝度とは、正の相関関係にある。１つの例として、デューティ比が１００％のＰＷＭ信号をバックライトドライバＩＣへ送信するとき、当該デューティ比が１００％のＰＷＭ信号は、表示領域のバックライト輝度を最大バックライト輝度に保持するように制御する旨をバックライトドライバＩＣに指示するためのものである。もう１つの例として、デューティ比が８０％のＰＷＭ信号をバックライトドライバＩＣへ送信するとき、当該デューティ比が８０％のＰＷＭ信号は、表示領域のバックライト輝度が最大バックライト輝度の８０％になるように制御する旨をバックライトドライバＩＣに指示するためのものである。
【００６３】
また、ＰＷＭ信号のデューティ比が１００％であるとき、端末は、画像のグレースケール値をそのまま保持するように制御する。ＰＷＭ信号のデューティ比が１００％よりも小さいとき、端末は、画像のグレースケール値を増加することで、画像のグレースケール値の増加とバックライト輝度の減弱とをバランスさせ、画像の輝度に処理前後で基本的に一致を保持させる。このように、端末に表示すべき画像に高いグレースケール値の画素（例えば、白色画素）がないとき、ＣＡＢＣ技術を用いて画像を処理すれば、バックライト消費電力を節約するという効果が奏されており、端末に表示すべき高いグレースケール値の画素（例えば、白色画素）があるとき、画像に対してＣＡＢＣ技術による処理を行わないことにより、画像のコントラスト及び表示効果が保証される。
【００６４】
また、所定数を１としたとき、画像に１つの高いグレースケール値の画素（例えば、白色画素）がある場合、デューティ比が１００％のＰＷＭ信号を出力して、バックライト輝度を最大バックライト輝度に保持するように制御する旨をバックライトドライバＩＣに指示し、これによって、コントラストロスが完全に回避される。
【００６５】
説明必要なことは、端末は、各画素のグレースケール値に基づいて、所定数の最大グレースケール値のうち最小値を取得した後、当該最小値とグレースケール値の閾値とを比較することなく、直接に前記ステップ３０４を実行しても良く、当該最小値が所在するグレースケール値サブ区間を取得し、さらに、当該取得されたグレースケール値サブ区間に対応するデューティ比に基づいて、画像に対してＣＡＢＣ処理を行うか否かを決定する。
【００６６】
さらに、実際の応用では、スクリーンに表示可能なグレースケール値を分割するとき、分割方式及び分割数は、実際の必要に応じて設定されても良く、上記例は、例示的で解釈的なものである。また、実際の応用では、実際の必要に応じて、異なるグレースケール値サブ区間に対応するデューティ比を設定しても良く、上記例は、単なる例示的で解釈的なものである。
【００６７】
以上により、本実施例で提供されるバックライト制御方法は、表示領域に表示すべき画像における各画素のグレースケール値を取得し、それから、各画素のグレースケール値に基づいて、所定数の最大グレースケール値のうち最小値を取得し、かつ、当該最小値がグレースケール値の閾値に達した場合、各画素のグレースケール値をそのまま保持し、当該表示領域のバックライト輝度を最大バックライト輝度に保持するように制御する、すなわち、当該表示領域における画像に対してＣＡＢＣ処理を行わないことにより、画像に高いグレースケール値の画素があるとき、ＣＡＢＣ技術を用いて当該画像を処理すれば、画像のコントラストが大幅に低減され、画像表示効果が大きく影響されてしまうという課題を解決し、画像に高いグレースケール値の画素があるとき、画像に対してＣＡＢＣ処理を行わないことが実現され、画像コントラストロスが回避または低減されて、画質及び表示効果が向上する。
【００６８】
また、本実施例で提供されるバックライト制御方法では、画像に高いグレースケール値の画素（例えば、白色画素）がないとき、ＣＡＢＣ技術を用いて画像を処理するが、画像に高いグレースケール値の画素（例えば、白色画素）があるとき、画像に対してＣＡＢＣ技術による処理を行わない。前記動的制御の方式によれば、バックライト消費電力を節約するという効果を奏すると共に、画像コントラスト及び表示効果が保証される。
【００６９】
また、本実施例で提供されるバックライト制御方法でば、さらに、スクリーンに表示可能なグレースケール値区間を若干個のグレースケール値サブ区間に分割し、グレースケール値サブ区間のそれぞれについて対応するＰＷＭ信号デューティ比を設けることにより、演算及び処理流れを簡素化し、バックライト制御效率を向上させることができる。
【００７０】
以下は本発明の装置実施例であり、本発明の方法実施例を実行するのに用いられても良い。本発明の装置実施例で開示されていない詳細については、本発明の方法実施例を参照のこと。
【００７１】
図４は、一例示的な実施例に係るバックライト制御装置を示すブロック図である。当該バックライト制御装置は、ソフトウェア、ハードウェアまたは両方の組合せによって端末の一部または全部として実現されても良い。当該バックライト制御装置は、第１の取得モジュール４１０と、第２の取得モジュール４２０と、制御モジュール４３０とを備えても良い。
【００７２】
第１の取得モジュール４１０は、少なくとも１つの表示領域を含むスクリーンにおける表示領域のそれぞれについて、前記表示領域に表示すべき画像における各画素のグレースケール値を取得するように構成される。
【００７３】
第２の取得モジュール４２０は、前記各画素のグレースケール値に基づいて、所定数の最大グレースケール値のうち最小値を取得するように構成される。
【００７４】
制御モジュール４３０は、前記最小値がグレースケール値の閾値に達したとき、前記各画素のグレースケール値をそのまま保持し、前記表示領域のバックライト輝度を最大バックライト輝度に保持するように制御するように構成される。
【００７５】
以上により、本実施例で提供されるバックライト制御装置は、表示領域に表示すべき画像における各画素のグレースケール値を取得し、それから、各画素のグレースケール値に基づいて、所定数の最大グレースケール値のうち最小値を取得し、かつ、当該最小値がグレースケール値の閾値に達した場合、各画素のグレースケール値をそのまま保持し、当該表示領域のバックライト輝度を最大バックライト輝度に保持するように制御する、すなわち、当該表示領域における画像に対してＣＡＢＣ処理を行わないことにより、画像に高いグレースケール値の画素があるとき、ＣＡＢＣ技術を用いて当該画像を処理すれば、画像のコントラストが大幅に低減され、画像表示効果が大きく影響されてしまうという課題を解決し、画像に高いグレースケール値の画素があるとき、画像に対してＣＡＢＣ処理を行わないことが実現され、画像コントラストロスが回避または低減されて、画質及び表示効果が向上する。
【００７６】
図５は、別の例示的な実施例に係るバックライト制御装置を示すブロック図である。当該バックライト制御装置は、ソフトウェア、ハードウェアまたは両方の組合せによって端末の一部または全部として実現されても良い。当該バックライト制御装置は、第１の取得モジュール４１０と、第２の取得モジュール４２０と、制御モジュール４３０と、を備えても良い。
【００７７】
第１の取得モジュール４１０は、少なくとも１つの表示領域を含むスクリーンにおける表示領域のそれぞれについて、前記表示領域に表示すべき画像における各画素のグレースケール値を取得するように構成される。
【００７８】
第２の取得モジュール４２０は、前記各画素のグレースケール値に基づいて、所定数の最大グレースケール値のうち最小値を取得するように構成される。
【００７９】
制御モジュール４３０は、前記最小値がグレースケール値の閾値に達したとき、前記各画素のグレースケール値をそのまま保持し、前記表示領域のバックライト輝度を最大バックライト輝度に保持するように制御するように構成される。
【００８０】
好ましくは、制御モジュール４３０は、送信サブモジュールと制御サブモジュールとを備える（図示せず）。
【００８１】
前記送信サブモジュールは、前記表示領域のバックライト輝度を最大バックライト輝度に保持するように制御する旨をバックライトドライバＩＣに指示するための信号であって、デューティ比が１００％のＰＷＭ信号を前記バックライトドライバＩＣへ送信するように構成される。
【００８２】
前記制御サブモジュールは、前記各画素のグレースケール値をそのまま保持するように制御するように構成される。
【００８３】
好ましくは、前記装置は、第３の取得モジュール４２２と、第４の取得モジュール４２４と、送信モジュール４２６と、をさらに備える。
【００８４】
第３の取得モジュール４２２は、前記最小値が前記グレースケール値の閾値に達していないとき、前記最小値が所在するグレースケール値サブ区間を取得するように構成される。
【００８５】
第４の取得モジュール４２４は、予め設定された対応関係に応じて、前記グレースケール値サブ区間に対応するデューティ比を取得するように構成され、前記予め設定された対応関係は、異なるグレースケール値サブ区間と異なるデューティ比との対応関係とを含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比が１００％である（ただし、Ｐ０が前記グレースケール値の閾値、Ｐｍａｘが前記スクリーンに表示可能な最大グレースケール値、０＜Ｐ０≦Ｐｍａｘ）。
【００８６】
送信モジュール４２６は、前記デューティ比に基づいて前記表示領域のバックライト輝度を制御する旨をバックライトドライバＩＣに指示するための信号であって、前記デューティ比を有するＰＷＭ信号を前記バックライトドライバＩＣへ送信するように構成される。
【００８７】
好ましくは、前記装置は、第５の取得モジュール４０２と、分割モジュール４０４と、第１の設定モジュール４０６と、をさらに備える。
【００８８】
第５の取得モジュール４０２は、前記スクリーンに対応するグレースケール値区間[０、Ｐｍａｘ]を取得するように構成される。
【００８９】
分割モジュール４０４は、前記グレースケール値区間[０、Ｐｍａｘ]をＭ（Ｍ≧２且つＭが整数）個のグレースケール値サブ区間に分割するように構成される。
【００９０】
第１の設定モジュール４０６は、グレースケール値サブ区間のそれぞれについて対応するデューティ比をそれぞれ設け、前記グレースケール値サブ区間と前記デューティ比との対応関係を保存するように構成される。
【００９１】
好ましくは、前記分割モジュール４０４は、第１の分割サブモジュール４０４ａ、または、第２の分割サブモジュール４０４ｂを備える。
【００９２】
第１の分割サブモジュール４０４ａは、等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするように構成される。
【００９３】
第２の分割サブモジュール４０４ｂは、非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくするように構成される（ただし、Ｐ(ｉ+１)ｍｉｎ=Ｐ(ｉ)ｍａｘ+１、１≦ｉ≦Ｍ-１、且つ、ｉが整数）。
【００９４】
好ましくは、前記装置は、第２の設定モジュール４０８をさらに備える。
【００９５】
第２の設定モジュール４０８は、前記画像に対してコントラストがロスレスであるコンテンツ適応バックライト制御ＣＡＢＣ処理を行う際に、前記所定数を１とするように構成される。
【００９６】
以上により、本実施例で提供されるバックライト制御装置は、表示領域に表示すべき画像における各画素のグレースケール値を取得し、それから、各画素のグレースケール値に基づいて、所定数の最大グレースケール値のうち最小値を取得し、かつ、当該最小値がグレースケール値の閾値に達した場合、各画素のグレースケール値をそのまま保持し、当該表示領域のバックライト輝度を最大バックライト輝度に保持するように制御する、すなわち、当該表示領域における画像に対してＣＡＢＣ処理を行わないことにより、画像に高いグレースケール値の画素があるとき、ＣＡＢＣ技術を用いて当該画像を処理すれば、画像のコントラストが大幅に低減され、画像表示効果が大きく影響されてしまうという課題を解決し、画像に高いグレースケール値の画素があるとき、画像に対してＣＡＢＣ処理を行わないことが実現され、画像コントラストロスが回避または低減されて、画質及び表示効果が向上する。
【００９７】
また、本実施例で提供されるバックライト制御装置では、画像に高いグレースケール値の画素（例えば、白色画素）がないとき、ＣＡＢＣ技術を用いて画像を処理するが、画像に高いグレースケール値の画素（例えば、白色画素）があるとき、画像に対してＣＡＢＣ技術による処理を行わない。前記動的制御の方式によれば、バックライト消費電力を節約するという効果を奏すると共に、画像コントラスト及び表示効果が保証される。
【００９８】
また、本実施例で提供されるバックライト制御装置では、さらに、スクリーンに表示可能なグレースケール値区間を若干個のグレースケール値サブ区間に分割し、グレースケール値サブ区間のそれぞれについて対応するＰＷＭ信号デューティ比を設けることにより、演算及び処理流れを簡素化し、バックライト制御效率を向上させることができる。
【００９９】
前記実施例中の装置における各モジュールが操作を実行する具体的な方式については、当該方法に係る実施例において詳細に記述しているため、ここでは詳しく説明しない。
【０１００】
図６は、一例示的な実施例に係るバックライトを制御するための装置６００を示すブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０１】
図６を参照すると、装置６００は、処理ユニット６０２、メモリ６０４、電源ユニット６０６、マルチメディアユニット６０８、オーディオユニット６１０、入力/出力（Ｉ/Ｏ）インタフェース６１２、センサユニット６１４、及び通信ユニット６１６からなる群から選ばれる１つまたは複数を備えてもよい。
【０１０２】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、指令を実行する１つまたは複数のプロセッサ６２０を備えてもよい。また、処理ユニット６０２は、他のユニットとのインタラクションを便利にさせるように、１つまたは複数のモジュールを備えてもよい。例えば、処理ユニット６０２は、マルチメディアユニット６０８とのインタラクションを便利にさせるように、マルチメディアモジュールを備えてもよい。
【０１０３】
メモリ６０４は、装置６００での操作をサポートするように、各種のデータを記憶するように構成される。これらのデータは、例えば、装置６００で何れのアプリケーション又は方法を操作するための指令、連絡先データ、電話帳データ、メッセージ、画像、ビデオ等を含む。メモリ６０４は、何れの種類の揮発性又は不揮発性メモリ、例えば、スタティックランダムアクセスメモリ（ＳＲＡＭ：Ｓｔａｔｉｃ Ｒａｎｄｏｍ Ａｃｃｅｓｓ Ｍｅｍｏｒｙ）、電気的に消去可能なプログラマブル読み出し専用メモリ（ＥＥＰＲＯＭ：Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、消去可能なプログラマブル読み出し専用メモリ（ＥＰＲＯＭ：Ｅｒａｓａｂｌｅ Ｐｒｏｇｒａｍｍａｂｌｅ Ｒｅａｄ Ｏｎｌｙ Ｍｅｍｏｒｙ）、プログラマブル読み出し専用メモリ（ＰＲＯＭ：Ｐｒｏｇｒａｍｍａｂｌｅ ＲＯＭ）、読み出し専用メモリ（ＲＯＭ：Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１０４】
電源ユニット６０６は、装置６００の各種ユニットに電力を供給するためのものであり、電源管理システム、１つ又は複数の電源、及び装置６００のために電力を生成、管理及び配分することに関連する他のユニットを備えてもよい。
【０１０５】
マルチメディアユニット６０８は、前記装置６００とユーザとの間に出力インタフェースを提供するスクリーンを備えてもよい。一部の一実施例では、スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、１つまたは複数のタッチセンサを有する。前記タッチセンサは、タッチやスライド動作の境界を感知できるだけではなく、タッチやスライド操作と関連する持続時間や圧力も感知できる。一部の実施例では、マルチメディアユニット６０８は、フロントカメラ及び/又はバックカメラを有してもよい。装置６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１０６】
オーディオユニット６１０は、オーディオ信号を出力及び/又は入力するように構成される。例えば、オーディオユニット６１０は、マイクロフォン（ＭＩＣ）を有してもよい。装置６００が、例えば、呼び出しモード、記録モード、又は音声認識モードのような操作モードにあるとき、マイクロフォンは、外部のオーディオ信号を受信するように構成される。受信したオーディオ信号は、メモリ６０４にさらに記憶されてもよいし、通信ユニット６１６を介して送信されてもよい。一部の実施例では、オーディオユニット６１０は、オーディオ信号を出力するためのスピーカをさらに備えてもよい。
【０１０７】
Ｉ/Ｏインタフェース６１２は、処理ユニット６０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１０８】
センサユニット６１４は、装置６００のために各方面の状態を評価する１つまたは複数のセンサを備えてもよい。例えば、センサユニット６１４は、装置６００のオン/オフ状態や、ユニットの相対的な位置を検出することができる。例えば、前記ユニットは、装置６００のディスプレイ及びキーパッドである。センサユニット６１４は、装置６００又は装置６００の１つのユニットの位置の変化や、ユーザが装置６００に接触しているか否かや、装置６００の方向又は加速/減速や、装置６００の温度変化を検出することができる。センサユニット６１４は、何れの物理的な接触もない場合に付近の物体を検出するように構成される近接センサを有してもよい。センサユニット６１４は、イメージングアプリケーションに用いるための光センサ、例えば、ＣＭＯＳ又はＣＣＤ画像センサを有してもよい。一部の実施例では、当該センサユニット６１４は、加速度センサ、ジャイロスコープセンサ、磁気センサ、圧力センサ又は温度センサをさらに備えてもよい。
【０１０９】
通信ユニット６１６は、装置６００と他の設備の間との無線又は有線通信を便利にさせるように構成される。装置６００は、通信標準に基づく無線ネットワーク、例えば、ＷｉＦｉ、２Ｇ又は３Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【０１１０】
例示的な実施例では、装置６００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサ、又は他の電子機器によって実現されてもよい。
【０１１１】
例示的な実施例では、指令を有する非一時的コンピュータ読み取り可能な記録媒体、例えば、指令を有するメモリ６０４をさらに提供する。前記指令は、装置６００のプロセッサ６２０により実行されて上述した方法を実現する。例えば、前記非一時的コンピュータ読み取り可能な記録媒体は、ＲＯＭ、ランダムアクセスメモリＲＡＭ、ＣＤ-ＲＯＭ、磁気テープ、フロッピー（登録商標）ディスク及び光データメモリ等であってもよい。
【０１１２】
非一時的コンピュータ可読記録媒体は、前記記録媒体における指令が装置６００のプロセッサにより実行されると、装置６００が前記図２または図３Ａに示すバックライト制御方法を実行するようにする。
【０１１３】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開表していない本技術分野の公知知識、又は通常の技術手段を含む。明細書及び実施例は、単に例示的なものであって、本発明の本当の範囲と主旨は、以下の特許請求の範囲によって示される。
【０１１４】
本発明は、上記で記述され、図面で図表した特定の構成に限定されず、その範囲を離脱しない状況で、様々な修正や変更を実施してもよい。本発明の範囲は、添付される特許請求の範囲のみにより限定される。
【０１１５】
本願は、２０１５年１月８日に中国特許庁に提出した出願番号が２０１５１０００９４７５.１である中国特許出願、および、２０１４年１２月３１日に中国特許庁に提出した出願番号が２０１４１０８５６８９２.５である中国特許出願に基づき優先権を主張し、上記中国特許出願の内容の全てを本願に援用する。
【図１】
2017510856.tif 000003
【図２】
2017510856.tif 000004
【図３Ａ】
2017510856.tif 000005
【図３Ｂ】
2017510856.tif 000006
【図３Ｃ】
2017510856.tif 000007
【図３Ｄ】
2017510856.tif 000008
【図４】
2017510856.tif 000009
【図５】
2017510856.tif 000010
【図６】
2017510856.tif 000011
【手続補正書】
【提出日】平成27年12月28日(2015.12.28)
【手続補正２】
【補正対象書類名】明細書
【補正対象項目名】０００１
【補正方法】変更
【補正の内容】
【０００１】
本発明は、スクリーン表示技術分野に関し、特に、バックライト制御方法、装置、プログラム及び記録媒体に関する。
【手続補正３】
【補正対象書類名】明細書
【補正対象項目名】０００５
【補正方法】変更
【補正の内容】
【０００５】
画像に高いグレースケール値の画素があるとき、ＣＡＢＣ技術を用いて当該画像を処理すれば、画像のコントラストが大幅に低減され、画像表示効果が大きく影響されてしまうという課題を解決するために、本発明の実施例は、バックライト制御方法、装置、プログラム及び記録媒体を提供する。前記技術案は下記の通りである。
【手続補正４】
【補正対象書類名】明細書
【補正対象項目名】００１６
【補正方法】変更
【補正の内容】
【００１６】
本発明の実施例の第３の局面によれば、バックライト制御装置を提供する。前記バックライト制御装置は、プロセッサと、前記プロセッサが実行可能な指令を記憶するためのメモリとを備え、前記プロセッサは、少なくとも１つの表示領域を含むスクリーンにおける表示領域のそれぞれについて、前記表示領域に表示すべき画像における各画素のグレースケール値を取得し、前記各画素のグレースケール値に基づいて、所定数の最大グレースケール値のうち最小値を取得し、前記最小値がグレースケール値の閾値に達したとき、前記各画素のグレースケール値をそのまま保持し、前記表示領域のバックライト輝度を最大バックライト輝度に保持するように制御するように構成される。
本開示の実施例の第４の局面によれば、プロセッサに実行されることにより、本開示の実施例の第１の局面に記載のバックライト制御方法を実現するプログラムを提供する。
本開示の実施例の第５の局面によれば、本開示の実施例の第４の局面に記載のプログラムが記録された記録媒体を提供する。
【手続補正５】
【補正対象書類名】特許請求の範囲
【補正対象項目名】全文
【補正方法】変更
【補正の内容】
【特許請求の範囲】
【請求項１】
少なくとも１つの表示領域を含むスクリーンにおける表示領域のそれぞれについて、前記表示領域に表示すべき画像における各画素のグレースケール値を取得するステップと、
前記各画素のグレースケール値に基づいて、所定数の最大グレースケール値のうち最小値を取得するステップと、
前記最小値がグレースケール値の閾値に達したとき、前記各画素のグレースケール値をそのまま保持し、前記表示領域のバックライト輝度を最大バックライト輝度に保持するように制御するステップと、を含むことを特徴とするバックライト制御方法。
【請求項２】
前記最小値が前記グレースケール値の閾値に達していないとき、前記最小値が所在するグレースケール値サブ区間を取得するステップと、
予め設定された対応関係に応じて、前記グレースケール値サブ区間に対応するデューティ比を取得するステップと、
前記デューティ比に基づいて前記表示領域のバックライト輝度を制御する旨をバックライトドライバＩＣに指示するための信号であって、前記デューティ比を有するパルス幅変調ＰＷＭ信号を前記バックライトドライバＩＣへ送信するステップと、をさらに含み、
前記予め設定された対応関係は、異なるグレースケール値サブ区間と異なるデューティ比との対応関係を含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比は、１００％である（ただし、Ｐ０が前記グレースケール値の閾値であり、Ｐｍａｘが前記スクリーンに表示可能な最大グレースケール値であり、０＜Ｐ０≦Ｐｍａｘ）ことを特徴とする請求項１に記載の方法。
【請求項３】
前記スクリーンに対応するグレースケール値区間[０、Ｐｍａｘ]を取得するステップと、
前記グレースケール値区間[０、Ｐｍａｘ]をＭ（Ｍ≧２且つＭが整数）個のグレースケール値サブ区間に分割するステップと、
グレースケール値サブ区間のそれぞれについて対応するデューティ比をそれぞれ設け、前記グレースケール値サブ区間と前記デューティ比との対応関係を保存するステップと、をさらに含むことを特徴とする請求項２に記載の方法。
【請求項４】
前記グレースケール値区間[０、Ｐｍａｘ]をＭ個のグレースケール値サブ区間に分割するステップは、
等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするサブステップ、または、
非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくする（ただし、Ｐ(ｉ+１)ｍｉｎ=Ｐ(ｉ)ｍａｘ+１、１≦ｉ≦Ｍ-１、且つ、ｉが整数）サブステップを含むことを特徴とする請求項３に記載の方法。
【請求項５】
前記画像に対してコントラストがロスレスであるコンテンツ適応バックライト制御ＣＡＢＣ処理を行う際に、前記所定数を１とすることを特徴とする請求項１〜４の何れかに記載の方法。
【請求項６】
少なくとも１つの表示領域を含むスクリーンにおける表示領域のそれぞれについて、前記表示領域に表示すべき画像における各画素のグレースケール値を取得するように構成される第１の取得モジュールと、
前記各画素のグレースケール値に基づいて、所定数の最大グレースケール値のうち最小値を取得するように構成される第２の取得モジュールと、
前記最小値がグレースケール値の閾値に達したとき、前記各画素のグレースケール値をそのまま保持し、前記表示領域のバックライト輝度を最大バックライト輝度に保持するように制御するように構成される制御モジュールと、を備えることを特徴とするバックライト制御装置。
【請求項７】
前記最小値が前記グレースケール値の閾値に達していないとき、前記最小値が所在するグレースケール値サブ区間を取得するように構成される第３の取得モジュールと、
予め設定された対応関係に応じて、前記グレースケール値サブ区間に対応するデューティ比を取得するように構成される第４の取得モジュールと、
前記デューティ比に基づいて前記表示領域のバックライト輝度を制御する旨をバックライトドライバＩＣに指示するための信号であって、前記デューティ比を有するパルス幅変調ＰＷＭ信号を前記バックライトドライバＩＣへ送信するように構成される送信モジュールと、をさらに備え、
前記予め設定された対応関係は、異なるグレースケール値サブ区間と異なるデューティ比との対応関係を含み、前記デューティ比の大きさとグレースケール値の大きさとが正の相関関係であり、前記デューティ比の大きさとバックライト輝度とが正の相関関係であり、グレースケール値が最大のグレースケール値サブ区間[Ｐ０、Ｐｍａｘ]に対応するデューティ比は、１００％である（ただし、Ｐ０が前記グレースケール値の閾値であり、Ｐｍａｘが前記スクリーンに表示可能な最大グレースケール値であり、０＜Ｐ０≦Ｐｍａｘ）ことを特徴とする請求項６に記載の装置。
【請求項８】
前記スクリーンに対応するグレースケール値区間[０、Ｐｍａｘ]を取得するように構成される第５の取得モジュールと、
前記グレースケール値区間[０、Ｐｍａｘ]をＭ（Ｍ≧２且つＭが整数）個のグレースケール値サブ区間に分割するように構成される分割モジュールと、
グレースケール値サブ区間のそれぞれについて対応するデューティ比をそれぞれ設け、前記グレースケール値サブ区間と前記デューティ比との対応関係を保存するように構成される第１の設定モジュールと、をさらに備えることを特徴とする請求項７に記載の装置。
【請求項９】
前記分割モジュールは、
等分方式で前記グレースケール値区間[０、Ｐｍａｘ]を前記Ｍ個のグレースケール値サブ区間に分割し、グレースケール値サブ区間のそれぞれに対応する最大グレースケール値と最小グレースケール値の間の差を等しくするように構成される第１の分割サブモジュール、または、
非等分方式で前記グレースケール値区間[０、Ｐｍａｘ]を前記Ｍ個のグレースケール値サブ区間に分割し、第ｉ+１個のグレースケール値サブ区間[Ｐ(ｉ+１)ｍｉｎ、Ｐ(ｉ+１)ｍａｘ]に対応する最大グレースケール値と最小グレースケール値の間の差Ｐ(ｉ+１)ｍａｘ-Ｐ(ｉ+１)ｍｉｎを、第ｉ個のグレースケール値サブ区間[Ｐ(ｉ)ｍｉｎ、Ｐ(ｉ)ｍａｘ]に対応する最大グレースケール値と最小グレースケール値の間の差Ｐ(ｉ)ｍａｘ-Ｐ(ｉ)ｍｉｎよりも大きく又はそれと等しくする（ただし、Ｐ(ｉ+１)ｍｉｎ=Ｐ(ｉ)ｍａｘ+１、１≦ｉ≦Ｍ-１、且つ、ｉが整数）ように構成される第２の分割サブモジュールを備えることを特徴とする請求項８に記載の装置。
【請求項１０】
前記画像に対してコントラストがロスレスであるコンテンツ適応バックライト制御ＣＡＢＣ処理を行う際に、前記所定数を１とするように構成される第２の設定モジュールをさらに備えることを特徴とする請求項６〜９の何れかに記載の装置。
【請求項１１】
プロセッサと、
前記プロセッサが実行可能な命令を記憶するためのメモリとを備え、
前記プロセッサは、
少なくとも１つの表示領域を含むスクリーンにおける表示領域のそれぞれについて、前記表示領域に表示すべき画像における各画素のグレースケール値を取得し、
前記各画素のグレースケール値に基づいて、所定数の最大グレースケール値のうち最小値を取得し、
前記最小値がグレースケール値の閾値に達したとき、前記各画素のグレースケール値をそのまま保持し、前記表示領域のバックライト輝度を最大バックライト輝度に保持するように制御するように構成されることを特徴とするバックライト制御装置。
【請求項１２】
プロセッサに実行されることにより、請求項１から請求項５のいずれか１項に記載のバックライト制御方法を実現することを特徴とするプログラム。
【請求項１３】
請求項１２に記載のプログラムが記録された記録媒体。
【国際調査報告】
2017510856.tif 000012
2017510856.tif 000013
2017510856.tif 000014
2017510856.tif 000015